(57)【要約】  【課題】  空気調和機の各種据付形態に応じて、オプションとして、本体の一側外部に、ドレンポンプユニットを容易に、且つ、着脱可能に取付けられるようにして取付作業を簡単にすると共に、前記本体を前記各種据付形態に共用できるようにしたこと。  【解決手段】  前記本体１内に、排水口２ａを側部に備えた露受皿２を設けてなる空気調和機であって、前記本体１の一側外部に、前記排水口２ａに接続される前記ドレンポンプユニット６が着脱可能に取付けられるようにした。【選択図】  図１
2005127677.tif 000002
【特許請求の範囲】
【請求項１】
本体内に、排水口を側部に備えた露受皿を設けてなる空気調和機であって、前記本体の一側外部に、前記排水口に接続されるドレンポンプユニットが着脱可能に取付けられるようにしたことを特徴とする空気調和機。
【請求項２】
前記ドレンポンプユニットが、電装品箱と共に、前記本体の一側外部に前後に取付けられるようにしたことを特徴とする請求項１記載の空気調和機。
【発明の詳細な説明】
【技術分野】
【０００１】
本発明は、ダクト型空気調和機を基本に各種据付形態を構成できるようにした空気調和機に係わり、より詳細には、オプションとして、本体の一側外部に、ドレンポンプユニットを容易に、且つ、着脱可能に取付けられるようにして取付作業を簡単にすると共に、前記本体を各種据付形態に共用できるようにした構造に関する。
【背景技術】
【０００２】
従来の各種据付形態の空気調和機には、例えば、ダクト型、天吊型、天井埋込型及びコンシールド型（半埋込型）等の据付形態の空気調和機があり、夫々の空気調和機は独自構造となっており、これらの空気調和機の本体内には、熱交換器、ファン及びファンモータからなる送風機、前記熱交換器の凝縮水を受ける露受皿、前記ファンモータ等を制御する制御基板を搭載した電装品箱及び前記凝縮水を排水するドレンポンプユニットを夫々配置した構造となっている。
【０００３】
前記天井埋込型の空気調和機の一例について説明すると、前記本体内に、吸込口から前記熱交換器に至る空気流路の外側に前記電装品箱を配置し、吹出口側に前記ファンに連結する前記ファンモータを配置する一方、前記露受皿内の前記凝縮水を排水する前記ドレンポンプユニットを前記ファンモータに隣接させ吸込口側に配置した構造となっている（例えば、特許文献１参照）。
【０００４】
ところで、前記天井埋込型の空気調和機の場合、前記本体の底面に前記吸込口と前記吹出口とを配置した構成となっており、同吸込口や同吹出口の空気の流入出の妨げとならないように、前記本体内に、前記電装品箱、前記ファンモータ、前記露受皿及び前記ドレンポンプユニットを夫々配置した構造となっている。
【０００５】
また、前記ダクト型の空気調和機の場合、前記本体の背面に前記吸込口を配置し、且つ、前記本体の前面に前記吹出口を配置した構成となっており、同吸込口や同吹出口の空気の流入出の妨げとならないように、前記本体内に、前記電装品箱、前記ファンモータ、前記露受皿及び前記ドレンポンプユニットを夫々配置した構造となっている。
【０００６】
更に、前記天吊型及び前記コンシールド型の空気調和機の場合、前記本体の底面に前記吸込口を配置し、且つ、前記本体の前面に前記吹出口を配置した構成となっており、同吸込口や同吹出口の空気の流入出の妨げとならないように、前記本体内に、前記電装品箱、前記ファンモータ、前記露受皿及び前記ドレンポンプユニットを夫々配置した構造となっている。
【０００７】
しかしながら、前述のように、前記各種据付形態に応じて前記吸込口と前記吹出口との配置構成が相違するため、前記本体内への前記電装品箱、前記ファンモータ、前記露受皿及び前記ドレンポンプユニットは、必然的に前記各種据付形態による独自設計のレイアウトとなっていた。
【０００８】
従って、前記本体内の前記ドレンポンプユニットは、前記各種据付形態に応じて共用できるレイアウトになっていないため、前記ドレンポンプユニットの取付作業が相違し、その共通化が望まれていた。
【０００９】
更に、前記ドレンポンプユニットは、必ずしも必要としない場合があり、例えば、前記ダクト型や前記コンシールド型の空気調和機は、前記露受皿の排水口に排水ホースを接続することにより、排水勾配の取れる場所に据付けられることがあった。
【００１０】
従って、前記ドレンポンプユニットを必要としない場合、前記本体内に、前記ドレンポンプユニットを配置していたスペースが余ってしまい、前記ドレンポンプユニットを必要とする場合、前記ドレンポンプユニットを前記本体内に取付けることとなって、同ドレンポンプユニットを後から容易に取付けられなかった。
【００１１】
これらの欠点を解消するため、前記本体の一側外部に、前記ドレンポンプユニットが着脱可能に取付けられるようにして、前記ドレンポンプユニットをオプション化することが望まれていた。
【００１２】
また、前記排水勾配の取れる場所か否かについて、現場作業時まで不明なことがあり、この観点からも前記ドレンポンプユニットをオプション化することが望まれていた。
【００１３】
このように、前記各種据付形態に応じて前記ドレンポンプユニットを配置するための取付作業に共通性がなく、前記各種据付形態に応じて前記ドレンポンプユニットを必要とする場合、後から容易に取付けられないため、前記ドレンポンプユニットをオプション化する必要性があり、また、前記本体を前記各種据付形態に共用できる構成となっていないため、前記ドレンポンプユニットをオプション化しにくいといった問題点があった。
【００１４】
【特許文献１】特開平６−３０７６６７号公報
【発明の開示】
【発明が解決しようとする課題】
【００１５】
本発明は上記問題点に鑑み、空気調和機の各種据付形態に応じて、オプションとして、本体の一側外部に、ドレンポンプユニットを容易に、且つ、着脱可能に取付けられるようにして取付作業を簡単にすると共に、前記本体を前記各種据付形態に共用できるようにした構造を提供することを目的とする。
【課題を解決するための手段】
【００１６】
本発明は上記課題を解決するため、前記本体内に、排水口を側部に備えた露受皿を設けてなる空気調和機であって、前記本体の一側外部に、前記排水口に接続される前記ドレンポンプユニットが着脱可能に取付けられるようにした構成となっている。
【発明の効果】
【００１７】
本発明によれば、前記本体の一側外部に、前記排水口に接続される前記ドレンポンプユニットが着脱可能に取付けられるようにした構成となっているので、前記各種据付形態に応じて、オプションとして、前記本体の一側外部に、前記ドレンポンプユニットを容易に、且つ、着脱可能に取付けられるようにして取付作業を簡単にすると共に、前記本体を前記各種据付形態に共用できる配置構造となる。
【発明を実施するための最良の形態】
【００１８】
以下、本発明の実施の形態を、添付図面に基づいた実施例として詳細に説明する。図１は本発明による空気調和機の外観斜視図、図２は本発明による空気調和機の第一実施例の外観斜視図、図３は本発明による空気調和機の第二実施例の分解斜視図、図４は本発明による空気調和機の第二実施例の外観斜視図、図５は本発明による空気調和機の第三実施例の外観斜視図である。
【実施例１】
【００１９】
各種据付形態を構成できるようにした本発明による空気調和機は、図１及び図２で示すように、ダクト型空気調和機が基本となっており、本体１は、後面又は底面（本実施例１）に吸込口１ａを、前面に吹出口１ｂを夫々備えている。
【００２０】
前記ダクト型空気調和機は、オフィスビルや工場等の建物内の天井裏や天井面に沿って配置される据付形態である。
【００２１】
前記本体１内には、前記吸込口１ａと前記吹出口１ｂとを結ぶ空気通路に、熱交換器、送風機（図示せず）及び冷房運転による熱交換器の凝縮水の滴下を受ける露受皿２を夫々備えている。
【００２２】
前記露受皿２には、その両側部の相対する位置から突出し連通する第一排水口２ａと第二排水口２ｂを夫々設けている。
【００２３】
前記本体１の一側外部には、ドレンポンプユニット６を電装品箱５と共に前後に並べて配設し、前記本体１の他側外部には、前記熱交換器に接続される冷媒配管８と前記第二排水口２ｂとを上下に並べて配設している。
【００２４】
前記電装品箱５には、冷暖房運転時のファンモータ等を制御する制御基板や電源部が搭載され、また、後述する前記ドレンポンプユニット６のドレンポンプ６ｃを駆動するための制御基板等も搭載されている。
【００２５】
前記第一排水口２ａは、排水管３が接続され、前記ドレンポンプユニット６に導かれており、前記第二排水口２ｂは、排水管４が接続され、前記冷媒配管８と平行に支持部材を介して支持されている。
【００２６】
なお、前記排水管３と前記排水管４は前記露受皿２に受ける凝縮水を排水するためのものである。
【００２７】
前記ドレンポンプユニット６は、図１、図２及び図４に示すように、貯留皿６ａ、接続配管６ｂ及び前記ドレンポンプ６ｃを備え、前記排水管３と前記貯留皿６ａが連通され、前記露受皿２に溜まった凝縮水を前記貯留皿６ａに溜めておき、この溜まった水を前記ドレンポンプ６ｃにて汲み上げ、前記ドレンポンプ６ｃに接続される前記接続配管６ｂへと導くようになっている。
【００２８】
なお、前記ドレンポンプ６ｃは、ポンプと同ポンプを駆動するモータとから構成されている。
【００２９】
前記接続配管６ｂには、排水ホース７が接続され、前記ドレンポンプ６ｃから汲み上げられた凝縮水を外部に排出するようになっている。
【００３０】
上記の説明のように、前記本体１、前記露受皿２、前記排水管３、４、前記電装品箱５、前記ドレンポンプユニット６及び前記排水ホース７から構成される前記ダクト型空気調和機は、後述する天吊型、天井埋込型、コンシールド型のような前記各種据付形態の空気調和機に共用できる構成となっている。
【００３１】
前記ドレンポンプユニット６は、前記各種据付形態に応じて建物の天井裏や天井面等の内部構造の条件で、前記第一排水口２ａまたは前記第二排水口２ｂに、前記排水管３または前記配水管４を接続し、前記排水管３または前記排水管４から延長接続される排水ホース７を配設することによって（図示せず）、凝縮水を排出できる排水勾配がとれる場合に必要としないが、とれない場合に、前記ドレンポンプユニットが必要となってくるものである。
【００３２】
例えば、前記ダクト型空気調和機や後述するコンシールド型空気調和機は、前記本体１内の前記露受皿２の配置位置によっては、前記ドレンポンプユニット６を必要とせず、据付けることができる据付形態である。
【００３３】
前記ドレンポンプユニット６は、前記各種据付形態に応じて着脱可能とし、前記ドレンポンプユニット６を前記本体１の一側外部に取付ける場合、前記本体１の一側外部に突出した前記第一排水口２ａを開放し前記排水管３を介して接続され、他側外部に突出した前記第二排水口２ｂを閉塞する構成となっており、前記第二排水口２ｂに接続された前記排水管４の開口をゴム製の閉塞用キャップ９によって塞ぐようにする。
【００３４】
また、前記ドレンポンプユニット６を前記本体１の一側外部に取付けない場合、前記第一排水口２ａに接続された前記排水管３の開口を前記閉塞用キャップ９によって塞ぎ、前記第二排水口２ｂを開放し前記排水管４を通じて排水するようにすればよい。
【００３５】
前記第一排水口２ａ、前記第二排水口２ｂは通常、前記排水管３、前記排水管４を接続し前記閉塞用キャップ９により閉塞されるが、前記第一排水口２ａ、前記第二排水口２ｂに直接、前記閉塞用キャップ９により閉塞してもよい。
【００３６】
このように、本発明の空気調和機によれば、前記本体１の一側外部に前記第一排水口２ａに接続する前記ドレンポンプユニット６を容易に、且つ、着脱可能に取付けられる構成としたことにより、前記ダクト型空気調和機をベースにした前記本体１の一側外部に、オプションとして、前記ドレンポンプユニット６を共通して決った箇所に取付けることができ、作業者の取付作業を簡単にすることができる。
【００３７】
従って、前記各種据付形態の一つであるダクト型は勿論のこと、天井埋込型、天吊型及びコンシールド型の空気調和機に対し、前記本体１の基本構造を共用することができる。
【００３８】
また、前記ドレンポンプユニット６を前記電装品箱５と共に前後に取付けることによって、前記ドレンポンプユニット６への電気系統に関する配線や、前記電装品箱５及び前記ドレンポンプユニット６の点検を纏まった箇所で行い易くすることができ、前記ドレンポンプユニット６と同等の大きさである前記電装品箱５と共に前後に取付けているので、前記本体１の一側外部のデッドスペースを最小限に押えることができる。
【００３９】
更に、前記本体１の他側外部に前記冷媒配管８と前記第二排水口２ｂとを上下に並べているので、配管や排水管などの引き廻しが良好となり、これらの接続するための工事を行い易くすることができ、また、図１に示すように、前記本体１の一側外部に、前記ドレンポンプユニット６を前記電装品箱５と共に前後に取付け、且つ、前記ドレンポンプユニット６と前記電装品箱５との間に、前記第一排水口２ａを設けることにより、前記本体１の一側外部のスペースを、よりコンパクトに有効的な配置として使用することができる。
【００４０】
次に、本発明の空気調和機を、前記各種据付形態に適用した一実施例を、前記天吊型、前記天井埋込型及び前記コンシールド型の空気調和機について夫々説明する。
【実施例２】
【００４１】
前記天吊型空気調和機は、オフィスビルや工場等の建物内の天井面に接するように室内に吊下げ配置されたり、前記天井面から吊下げ金具を介して室内の天井付近に吊下げ配置される据付形態である。
【００４２】
まず、前記天吊型空気調和機は図３及び図４で示すように、前記本体１の底面（前記露受皿２の底面）に、前記吸込口１ａに対向する吸込桟からなる吸込グリル１０と、メインパネル１１とが夫々着脱可能に設けられている。
【００４３】
また、前記本体１の前面に、前記吹出口１ｂに対向する吹出方向を変更可能な風向板からなる吹出部１２を備えた吹出パネル１３が取付けられ、両側面に側面パネル１４が夫々取付けられるようになっている。
【００４４】
前記天吊型空気調和機は、前記吸込グリル１０、前記メインパネル１１及び前記吹出パネル１３の横方向の寸法は、前記実施例１のように、前記本体１の一側外部に前記電装品箱５と前記ドレンポンプユニット６とを前後に、他側外部に前記冷媒配管８と前記第二排水口２ｂとを上下に、夫々並べて配設した構成の横方向の寸法に対応した長さまで延長したものとなっている。
【００４５】
そして、図２で示すように、前記本体１の他側外部に突出した前記第二排水口２ｂに接続された前記排水管４を、前記閉塞用キャップ９で閉塞し、一側外部に突出した前記第一排水口２ａに接続された前記排水管３を開放し、前記ドレンポンプユニット６に接続される前記排水ホース７を前記電装品箱５の上面に沿って配設するようにしている。
【００４６】
以上、前記天吊型空気調和機によれば、前記実施例１の発明の効果に加えて、前記電装品箱５と前記ドレンポンプユニット６とを取付けた後、前記吸込グリル１０、前記メインパネル１１、前記吹出パネル１３及び前記側面パネル１４を取付けることにより、まとまった形で簡単に組立てることができる。
【００４７】
そして、前記側面パネル１４を取外すことにより、前記ドレンポンプユニット６や前記電装品箱５の点検及び故障時に容易に対応することができる。
【００４８】
更に、前記電装品箱５の上面に沿って前記ドレンポンプユニット６に接続する前記排水ホース７を配設することにより、前記本体１の背面側に導き、前記排水ホース７の引き廻しを良好にすることができる。
【００４９】
なお、前記電装品箱５を保護シート（図示せず）で覆い囲って防水に配慮している。
【実施例３】
【００５０】
前記天井埋込型空気調和機は、オフィスや住宅等の建物内の前記天井面に沿って、被空調室内に突出しないように、前記吸込グリル１０、前記メインパネル１１が配置される据付形態である。
【００５１】
まず、前記天井埋込型空気調和機は、図５で示すように、前記本体１の底面（前記露受皿２の底面）に、前記吸込口１ａに対向する吸込桟からなる前記吸込グリル１０と、前記メインパネル１１とが夫々着脱可能に設けられている。
【００５２】
また、前記本体１の前記吹出口１ｂに吹出方向を９０度可変するチャンバー１５を接続して、前記本体１の底面に直交する下方向に吹出すようにし、この吹出側の前記チャンバー１５に対向する風向板からなる前記吹出部１２を備えた前記吹出パネル１３を着脱可能に設けられている。
【００５３】
前記天井埋込型空気調和機は、前記吸込グリル１０、前記メインパネル１１及び前記吹出パネル１３の横方向の寸法は、前記天吊型空気調和機と同様に、前記本体１の一側外部に前記電装品箱５と前記ドレンポンプユニット６とを前後に、他側外部に前記冷媒配管８と前記第二排水口２ｂとを上下に、夫々並べて配設した構成の横方向の寸法に対応した長さまで延長したものとなっている。
【００５４】
更に、他側外部の前記第二排水口２ｂを前記本体１の背面側に向けて突出するように、前記露受皿２の側面から略Ｌ字状に、直角に屈曲させて方向転換した前記第二排水口２ｂを構成してもよく、この場合、前記第二排水口２ｂに接続される前記排水管４に、または、前記第二排水口２ｂに接続される前記排水ホース７（図示せず）に、負担をかけることなく引き廻しを良好にすることができる。
【００５５】
そして、前記吸込グリル１０または前記メインパネル１１を取外すことにより、前記電装品箱５または前記ドレンポンプユニット６の点検や故障時に容易に対応することができる。
【００５６】
以上、前記天井埋込型空気調和機によれば、前記実施例１の発明の効果に加えて、有利な効果を得ることができる。
【実施例４】
【００５７】
前記コンシールド型（半埋込型）空気調和機は、オフィスや住宅等の建物内の天井面の段差部分を利用して前面吹出しで据付けられ、同段差部分に外観性を良好に配置される据付形態である。
【００５８】
前記コンシールド型空気調和機は、図示しないが、前記本体１の底面（前記露受皿２の底面）に、前記吸込口１ａに対向する吸込桟からなる前記吸込グリル１０と、前記メインパネル１１とが夫々着脱可能に取付けられ、前記本体１の前面に、前記吹出口１ｂに対向する吹出方向を変更可能な風向板からなる前記吹出部１２を備えた前記吹出パネル１３が着脱可能に取付けられている。
【００５９】
また、前記実施例と同様に、前記本体１の一側外部に前記電装品箱５、前記ドレンポンプユニット６を配設し、他側外部に前記冷媒配管８を配設してなり、前記本体１に前記吸込グリル１０と前記メインパネル１１とが取付けられて天井面に配置され、前記吹出パネル１３が取付けられて天井裏の前面壁（前記段差部分）に配置する据付け構成となっている。
【００６０】
そして、前記天井埋込型空気調和機と同様に、前記吸込グリル１０または前記メインパネル１１を取外すことにより、前記電装品箱５または前記ドレンポンプユニット６の点検や故障時に容易に対応することができる。
【００６１】
以上、前記コンシールド型空気調和機によれば、前記実施例１の発明の効果に加えて、有利な効果を得ることができる。
【００６２】
前記実施例では、前記本体１の底面に前記吸込口１ａを設けた場合について説明したが、本発明はこれに限るものでなく、前記本体１の後面にも前記吸込口１ａを設けてどちらか一方を塞ぐようにすることで、前記ダクト型空気調和機の選択肢を増加することができる。
【００６３】
前記実施例では、前記露受皿２の両側部の相対する位置から突出し連通する前記第一排水口２ａ、前記第二排水口２ｂを夫々設けて、前記各種据付形態の空気調和機に適用し取付場所を考慮した場合について説明したが、本発明はこれに限るものでなく、前記ドレンポンプユニット６の取付有又は取付無の一方に対応して、前記露受皿２の両側部のどちらか一方に排水口を設けてもよい。
【００６４】
例えば、前記本体１の一側外部の前記露受皿２の側部に前記排水口を設け、前記ドレンポンプユニット６を取付ける場合、前記排水口に接続された前記排水管３に、前記ドレンポンプユニット６を取付け、前記ドレンポンプユニット６を取付けない場合、前記排水口に前記排水ホース７を接続して排水するようにし（図示せず）、前記電装品箱５を前記本体１の一側外部の前方に配置し、前記排水口の方向を前記実施例３に示すように、前記本体１の背面側に向けて突出させた構成としてもよい。
【００６５】
前記実施例では、前記本体１の一側外部に前記電装品箱５を配設した場合について説明したが、本発明はこれに限るものでなく、前記本体１内に前記電装品箱５を配設し、一側外部に前記ドレンポンプユニット６を配設して構成してもよい。
【００６６】
前記実施例では、前記本体１の一側外部に前記電装品箱５と前記ドレンポンプユニット６とを前後に、そして、他側外部に前記冷媒配管８と前記第二排水口２ｂとを上下に、夫々並べて配設された場合について説明したが、本発明はこれに限るものでなく、例えば、前記本体１の一側外部に前記電装品箱５と前記ドレンポンプユニット６とを前後に離間するように配設し、前記本体１の他側外部に前記冷媒配管８と前記第二排水口２ｂとを前後に並べて配設してもよく、少なくとも、前記本体１の一側外部又は他側外部に体裁よくレイアウトされ配設しているものであればよい。
【００６７】
前記実施例では、図示を省略しているが、前記第一排水口２ａと前記排水管３、前記第二排水口２ｂと前記排水管４、前記接続配管６ｂと前記排水ホース７との間などの接続部分には、軟質部材の介在や防水加工等によって凝縮水の排水経路での水漏れを防止する対応が施されている。
【図面の簡単な説明】
【００６８】
【図１】本発明による空気調和機の外観斜視図である。
【図２】本発明による空気調和機の第一実施例の外観斜視図である。
【図３】本発明による空気調和機の第二実施例の分解斜視図である。
【図４】本発明による空気調和機の第二実施例の外観斜視図である。
【図５】本発明による空気調和機の第三実施例の外観斜視図である。
【符号の説明】
【００６９】
１  本体
１ａ  吸込口
１ｂ  吹出口
２  露受皿
２ａ  第一排水口
２ｂ  第二排水口
３  排水管
４  排水管
５  電装品箱
６  ドレンポンプユニット
６ａ  貯留皿
６ｂ  接続配管
６ｃ  ドレンポンプ
７  排水ホース
８  冷媒配管
９  閉塞用キャップ
１０  吸込グリル
１１  メインパネル
１２  吹出部
１３  吹出パネル
１４  側面パネル
１５  チャンバー
【図１】
2005127677.tif 000003
【図２】
2005127677.tif 000004
【図３】
2005127677.tif 000005
【図４】
2005127677.tif 000006
【図５】
2005127677.tif 000007